(57)【特許請求の範囲】
【請求項１】
原稿に複数の有彩色で表された画像の画像データを取得し、取得した画像データを、１つの色成分である第１の色成分の画像データに変換する変換処理と、１の有彩色成分である、前記第１の色成分と異なる第２の色成分の画像データに変換する変換処理とが実行可能な画像処理装置であって、
取得した画像データに、前記第２の色成分の画像データと前記第１及び第２の色成分と異なる有彩色成分である第３の色成分を含む複数の有彩色成分の画像データとが含まれているとき、該第３の色成分の画像データと前記第３の色成分以外の前記複数の有彩色成分の他の成分の画像データとの差に応じて、前記第３の色成分の画像データを、前記第１の色成分の画像データに変換する変換処理を行うか前記第２の色成分の画像データに変換する変換処理を行うかを選択し、選択した方の変換処理を実行する変換部と、
前記第３の色成分の画像データから前記第３の色成分以外の前記複数の有彩色成分の他の成分の画像データを減算した減算値をそれぞれ算出し、前記減算値のそれぞれが予め定められた閾値より大きいか否かを判断する判断部と、を備え、
前記変換部は、前記判断部により前記減算値のそれぞれが前記閾値より大きいと判断された場合には、前記第３の色成分の画像データを前記第１の色成分の画像データに変換する変換処理を実行し、それ以外の場合には、前記第３の色成分の画像データを前記第２の色成分の画像データに変換する変換処理を実行する画像処理装置。
【請求項２】
原稿に複数の有彩色で表された画像の画像データを取得し、取得した画像データを、１つの色成分である第１の色成分の画像データに変換する変換処理と、１の有彩色成分である、前記第１の色成分と異なる第２の色成分の画像データに変換する変換処理とが実行可能な画像処理装置であって、
取得した画像データに、前記第２の色成分の画像データと前記第１及び第２の色成分と異なる有彩色成分である第３の色成分の画像データとが含まれているとき、該第３の色成分の画像データと前記第２の色成分の画像データとの差に応じて、前記取得した画像データを、前記第１の色成分の画像データに変換する変換処理を行うか前記第２の色成分の画像データに変換する変換処理を行うかを選択し、選択した方の変換処理を実行する変換部を備え、
前記第１の色成分は黒色成分であり、
前記変換部は、取得した画像データに、更に前記第２及び第３の色と異なる有彩色成分である第４の色成分の画像データが含まれているとき、前記第３の色成分の画像データ及び前記第２の色成分の画像データの差と、前記第３の色成分の画像データ及び前記第４の色成分の画像データの差とに応じて、前記取得した画像データを、黒色成分の画像データに変換する変換処理を行うか前記第２の色成分の画像データに変換する変換処理を行うかを選択し、選択した方の変換処理を実行する画像処理装置。
【請求項３】
前記第３の色成分の画像データから前記第２の色成分の画像データを減算した第１の減算値を算出し、前記第１の減算値が予め定められた第１の閾値より大きいか否かを判断するとともに、前記第３の色成分の画像データから前記第４の色成分の画像データを減算した第２の減算値を算出し、前記第２の減算値が予め定められた第２の閾値より大きいか否かを判断する判断部を備え、
前記変換部は、前記判断部により前記第１の減算値が前記第１の閾値より大きく且つ前記第２の減算値が前記第２の閾値より大きいと判断された場合には、前記取得した画像データを黒色の画像データに変換する変換処理を実行し、それ以外の場合には、前記取得した画像データを前記第２の色成分の画像データに変換する変換処理を実行する請求項２に記載の画像処理装置。
【請求項４】
前記第２の色成分を指定する入力を行うための第１の入力操作部を備える請求項１ないし３のいずれかに記載の画像処理装置。
【請求項５】
前記第３の色成分を指定する入力を行うための第２の入力操作部を備える請求項１ないし４のいずれかに記載の画像処理装置。
【請求項６】
請求項１ないし５のいずれかに記載の画像処理装置と、
前記変換部による変換後の画像データを用いて用紙に画像を形成する画像形成部と
を備える画像形成装置。
【発明の詳細な説明】
【技術分野】
【０００１】
本発明は、カラーの原稿の画像を２色で画像形成する所謂２色コピーに関するものである。
【背景技術】
【０００２】
従来、カラーデジタル複写機において、画像読取部により読み取られた画像がモノクロ（白黒）画像であるかカラー画像であるかをＡＣＳ（Auto Color Selection）処理により自動的に判別する技術が搭載されているものがある（例えば下記特許文献１参照）。
【０００３】
一方、カラーの原稿の画像を２色で画像形成する所謂２色コピー技術が広く知られている。この２色コピー技術は、例えばＲ（赤）、Ｇ（緑）、Ｂ（青）、Ｋ（黒）の中から２色がユーザにより選択され、この選択色により原稿の画像を用紙に表現するものであり、特に、Ｒ（赤）、Ｇ（緑）、Ｂ（青）のうちユーザにより指定された一色（以下、指定色という）とＫ（黒）とにより原稿の画像を用紙に表現する２色コピーの形態が現在良く利用されている。
【特許文献１】特開平０４−２８２９６８号公報
【発明の開示】
【発明が解決しようとする課題】
【０００４】
Ｒ（赤）、Ｇ（緑）、Ｂ（青）のうちユーザにより指定された一色とＫ（黒）とにより原稿の画像を用紙に表現する前記２色コピーの場合、従来では、各色の画像のうち黒色の画像については黒色で表現され、その他の画像については全て前記指定色で表現されていた。
【０００５】
しかしながら、Ｒ（赤）、Ｇ（緑）、Ｂ（青）の画像のうち例えば青色の画像については、ユーザが黒色で表現させたいと望む場合がある。また、前述のような２色コピーの場合、Ｒ（赤）、Ｇ（緑）、Ｂ（青）の中には、黒色で表現する方が色合い的に好ましい色もある。ところが、前述の従来構成では、Ｒ（赤）、Ｇ（緑）、Ｂ（青）の画像は全て前記指定色で表現されることとなるため、用紙に形成される画像の色合いが原稿の画像の色合いと異なり、ユーザに違和感を抱かせることがあった。
【０００６】
本発明は、上述した問題点を解決するためになされたものであり、２色コピーを行う場合に、原稿の色合いをより自然な態様で再現したりユーザが望む画像を再現したりすることのできる技術を提供することを目的とする。
【課題を解決するための手段】
【０００７】
本発明の第１態様は、原稿に複数の有彩色で表された画像の画像データを取得し、取得した画像データを、１つの色成分である第１の色成分の画像データに変換する変換処理と、１の有彩色成分である、前記第１の色成分と異なる第２の色成分の画像データに変換する変換処理とが実行可能な画像処理装置であって、取得した画像データに、前記第２の色成分の画像データと前記第１及び第２の色成分と異なる有彩色成分である第３の色成分を含む複数の有彩色成分の画像データとが含まれているとき、該第３の色成分の画像データと前記第３の色成分以外の前記複数の有彩色成分の他の成分の画像データとの差に応じて、前記第３の色成分の画像データを、前記第１の色成分の画像データに変換する変換処理を行うか前記第２の色成分の画像データに変換する変換処理を行うかを選択し、選択した方の変換処理を実行する変換部を備える画像処理装置である。
【０００８】
この発明によれば、例えば、前記第２の色成分の画像データと前記第３の色成分の画像データとの差が比較的小さい場合には、前記取得した画像データを前記第２の色成分の画像データに変換し、前記第３の色成分の画像データと前記第２の色成分の画像データとの差が比較的大きい場合には、前記取得した画像データを黒色成分の画像データに変換するというように、前記第３の色成分の画像データと前記第２の色成分の画像データとの差に応じて、前記取得した画像データを第１の色成分（前述の例では黒色成分）の画像データに変換するか前記第２の色成分の画像データに変換するかが選択される。これにより、従来のように、各色の画像データのうち黒色の画像データについては黒色で表現し、その他の画像データについては全て前記指定色で表現する構成に比して、原稿の画像の色合いにより近い色合いの画像を用紙に再現することが可能となる。
【０００９】
本発明の第２態様は、本発明の第１態様の画像処理装置において、前記第３の色成分の画像データから前記第３の色成分以外の前記複数の有彩色成分の他の成分の画像データを減算した減算値をそれぞれ算出し、前記減算値のそれぞれが予め定められた閾値より大きいか否かを判断する判断部と、を備え、前記変換部は、前記判断部により前記減算値のそれぞれが前記閾値より大きいと判断された場合には、前記第３の色成分の画像データを前記第１の色成分の画像データに変換する変換処理を実行し、それ以外の場合には、前記第３の色成分の画像データを前記第２の色成分の画像データに変換する変換処理を実行するものである。
【００１０】
この発明によれば、判断部により、前記第３の色成分の画像データから前記第２の色成分の画像データを減算した減算値が算出され、前記減算値が予め定められた閾値より大きいか否かが判断される。そして、前記変換部により、前記減算値が前記閾値より大きい場合、すなわち前記第３の色成分が比較的大きな影響を有している場合には、前記取得した画像データが黒色の画像データに変換され、それ以外の場合には、前記取得した画像データが前記第２の色成分の画像データに変換される。
【００１１】
このような処理により、従来のように、各色の画像データのうち黒色の画像データについては黒色で表現し、その他の画像データについては全て前記指定色で表現する構成に比して、原稿の画像の色合いにより近い色合いの画像を用紙に再現することができる。
【００１２】
本発明の第３態様は、本発明の第１態様または第２態様の画像処理装置において、前記第１の色成分は黒色成分である。
【００１３】
この発明によれば、２色コピーに用いられる一方の色として黒色が用いられ、前記減算値が前記閾値より大きいと判断された場合、前記取得した画像データが黒色の画像データに変換される。
【００１４】
本発明の第４態様は、本発明の第１態様の画像処理装置において、前記第１の色成分は黒色成分であり、前記変換部は、取得した画像データに、前記第２及び第３の色と異なる有彩色成分である第４の色成分の画像データが含まれているとき、前記第３の色成分の画像データ及び前記第２の色成分の画像データの差と、前記第３の色成分の画像データ及び前記第４の色成分の画像データの差とに応じて、前記取得した画像データを、黒色成分の画像データに変換する変換処理を行うか前記第２の色成分の画像データに変換する変換処理を行うかを選択し、選択した方の変換処理を実行するものである。
【００１５】
この発明によれば、前記第１の色成分は黒色成分であり、取得した画像データが３つの色成分の画像データを含む場合に、前記第３の色成分の画像データ及び前記第２の色成分の画像データの差と前記第３の色成分の画像データ及び前記第４の色成分の画像データの差とに応じて、前記取得した画像データを黒色成分の画像データに変換する変換処理を行うか前記第２の色成分の画像データに変換する変換処理を行うかが選択される。これにより、従来のように、各色の画像データのうち黒色の画像データについては黒色で表現し、その他の画像データについては全て前記指定色で表現する構成に比して、原稿の画像の色合いにより近い色合いの画像を用紙に再現することが可能となる。
【００１６】
本発明の第５態様は、本発明の第４態様の画像処理装置において、前記第３の色成分の画像データから前記第２の色成分の画像データを減算した第１の減算値を算出し、前記第１の減算値が予め定められた第１の閾値より大きいか否かを判断するとともに、前記第３の色成分の画像データから前記第４の色成分の画像データを減算した第２の減算値を算出し、前記第２の減算値が予め定められた第２の閾値より大きいか否かを判断する判断部を備え、前記変換部は、前記判断部により前記第１の減算値が前記第１の閾値より大きく且つ前記第２の減算値が前記第２の閾値より大きいと判断された場合には、前記取得した画像データを黒色の画像データに変換する変換処理を実行し、それ以外の場合には、前記取得した画像データを前記第１の色成分の画像データに変換する変換処理を実行するものである。
【００１７】
この発明によれば、判断部により、前記第３の色成分の画像データから前記第２の色成分の画像データを減算した第１の減算値が算出され、前記第１の減算値が予め定められた第１の閾値より大きいか否かが判断されるとともに、前記第３の色成分の画像データから前記第４の色成分の画像データを減算した第２の減算値が算出され、前記第２の減算値が予め定められた第２の閾値より大きいか否かが判断される。
【００１８】
そして、前記変換部により、前記第１の減算値が前記第１の閾値より大きく且つ前記第２の減算値が前記第２の閾値より大きい場合、すなわち前記第３の色成分が前記第２及び第４の色成分より比較的大きな影響を有している場合には、前記取得した画像データが黒色の画像データに変換され、それ以外の場合には、前記取得した画像データが前記第１の色成分の画像データに変換される。
【００１９】
このような処理により、従来のように、各色の画像データのうち黒色の画像データについては黒色で表現し、その他の画像データについては全て前記指定色で表現する構成に比して、原稿の画像の色合いにより近い色合いの画像を用紙に再現することができる。
【００２０】
本発明の第６態様は、本発明の第１態様ないし第５態様のいずれかの画像処理装置において、前記第２の色成分を指定する入力を行うための第１の入力操作部を備えるものである。
【００２１】
この発明によれば、黒色と有彩色のうちいずれか１つの特定色とにより２色コピーを行う際の前記特定色をユーザが設定することができる。よって、ユーザが望む画像を生成することができる。
【００２２】
本発明の第７態様は、本発明の第１態様ないし第６態様のいずれかの画像処理装置において、前記第３の色成分を指定する入力を行うための第２の入力操作部を備えるものである。
【００２３】
この発明によれば、黒色と有彩色のうちいずれか１つの特定色とにより２色コピーを行う場合に、黒色で表現することを所望する、前記特定色と異なる他の有彩色をユーザが設定することができる。よって、ユーザが望む画像を生成することができる。
【００２４】
本発明の第８態様は、本発明の第１態様ないし第７態様のいずれかの画像処理装置と、前記変換部による変換後の画像データを用いて用紙に画像を形成する画像形成部とを備える画像形成装置である。
【００２５】
この発明によれば、画像形成装置において、本発明の第１態様ないし第７態様のいずれかの作用が得られる。
【発明の効果】
【００２６】
本発明によれば、２色コピーを行う場合に、原稿の色合いをより自然な態様で再現したりユーザが望む画像を再現したりすることができる。
【発明を実施するための最良の形態】
【００２７】
以下、本発明に係る画像形成装置の一例としての複写機について図面を参照しながら説明する。図１は、本発明の一実施形態における複写機の概略構成図である。図１に示すように、複写機１は、複写機本体内にマゼンタ（Ｍ）、シアン（Ｃ）、イエロー（Ｙ）及びブラック（Ｋ）の各色別に画像形成部２Ｍ、２Ｃ、２Ｙ、２Ｋが並設されている。
【００２８】
画像形成部２Ｍ、２Ｃ、２Ｙ及び２Ｋ（これらを纏めて画像形成部２という）は、用紙に対するカラー画像の形成（印刷）を行うものであり、例えばアモルファスシリコンからなる感光体ドラム３、この感光体ドラム３の周囲に配設された帯電部４、露光部５、現像部６及び感光体クリーニング部７を備えている。
【００２９】
帯電部４は、感光体ドラム３の表面を所定電位に均一に帯電させるものである。露光部５は、後述の画像データ記憶部４０（図２参照）等から送信されてきた画像データに基づき生成されたレーザービーム（ＬＥＤ光）を感光体ドラム３の表面に照射し、該ドラム表面上に静電潜像を形成するものである。現像部６は、感光体ドラム３に形成された静電潜像に対してトナー供給部６１から供給されるトナーを付着させることで、トナー像として静電潜像を顕在化させるものである。感光体クリーニング部７は、後述する中間ベルト１０へのトナー画像の一次転写終了後、感光体ドラム３表面上のトナーを清掃するものである。
【００３０】
画像形成部２Ｍ〜２Ｋの下方には、感光体ドラム３表面に顕在化したトナー像の中間転写（一次転写）を行うための中間転写ローラ９（一次転写ローラ）及び中間ベルト（中間転写ベルト）１０が配設されている。中間ベルト１０は、所定のベルト体からなり、各感光体ドラム３と対向配置された中間転写ローラ９によって感光体ドラム３に押圧された状態で、駆動ローラ１１〜１３によって無端回転するように構成されている。感光体ドラム３上に形成される各色のトナー像は、無端回転される中間ベルト１０上に、それぞれタイミングを合わせて、マゼンタ、シアン、イエロー及びブラックの順に転写されて重ね合わされる。これにより中間ベルト１０上にＹ、Ｍ、Ｃ、Ｋの４色からなるカラー画像が形成される。
【００３１】
駆動ローラ１３と対向する位置には、中間ベルト１０を介して２次転写ローラ１４が設けられている。２次転写ローラ１４は、後述の制御部３３からの転写バイアスによって中間ベルト１０上のカラー画像を用紙へ転写するものである。
【００３２】
また、複写機１は、画像形成部２Ｙ〜２Ｋへ向けて給紙を行う給紙部１５を備えている。給紙部１５は、各サイズの用紙を収納する給紙カセット１５１、用紙が搬送される経路である搬送路１５２、及び搬送路１５２中の用紙の搬送を行う搬送ローラ１５３等を備え、給紙カセット１５１から１枚ずつ取り出された用紙を画像形成部２Ｙ〜２Ｋ、すなわち２次転写ローラ１４の位置へ向けて搬送する。なお、給紙部１５は、２次転写処理された用紙を定着部１６へ搬送し、この定着処理された用紙を複写機本体上部の用紙排出トレイ１７へ排出する。
【００３３】
搬送路１５２における２次転写ローラ１４より下流側の適所には、定着部１６が設けられている。定着部１６は、用紙に転写されたトナー像を定着させるものである。定着部１６はヒートローラ１６１及び圧ローラ１６２からなり、ヒートローラ１６１の熱によって用紙上のトナーを溶かし、圧ローラ１６２によって圧力をかけてトナーを用紙上に定着させる。
【００３４】
また、複写機１は、除電クリーニング１８及び濃度センサ１９を備えている。除電クリーニング１８は、中間ベルト１０上のトナー（残留トナー）を除去（回収）するものである。除電クリーニング１８は、図略のクリーニング電極及びクリーニングブラシ（回転ブラシ）からなり、クリーニング電極によってトナーの帯電電荷と逆極性のクリーニングバイアスをクリーニングブラシに印加し、これによる静電気力によって中間ベルト１０上のトナーをクリーニングブラシに移動させることでトナー除去を行う。
【００３５】
濃度センサ１９は、中間ベルト１０の表面（以降、適宜「ベルト表面」という）における濃度を測定するものである。
【００３６】
複写機本体の上部には、原稿読取部２０と原稿給送部２４とが設けられている。原稿読取部２０は、ＣＣＤ(Charge Coupled Device)センサ及び露光ランプ等からなるスキャナ部２１と、ガラス等の透明部材により構成された原稿台２２及び原稿読取スリット２３とを備える。スキャナ部２１は、図略の駆動部によって移動可能に構成され、原稿台２２に載置された原稿を読み取るときは、原稿台２２に対向する位置で原稿面に沿って移動され、原稿画像を走査しつつ取得した画像データを制御部３３（図２参照）へ出力する。また、原稿給送部２４により給送された原稿を読み取るときは、原稿読取スリット２３と対向する位置に移動され、原稿読取スリット２３を介して原稿給送部２４による原稿の搬送動作と同期して原稿の画像を取得し、その画像データを制御部３３へ出力する。
【００３７】
原稿給送部２４は、原稿を載置するための原稿載置部２５と、画像読み取り済みの原稿を排出するための原稿排出部２６と、原稿載置部２５に載置された原稿を１枚ずつ繰り出して原稿読取スリット２３に対向する位置へ搬送し、原稿排出部２６へ排出するための給紙ローラや搬送ローラ（図示せず）等からなる原稿搬送機構２７を備える。原稿搬送機構２７は、さらに原稿を表裏反転させて原稿読取スリット２３と対向する位置へ再搬送する用紙反転機構（図示せず）を備え、原稿の両面の画像を、原稿読取スリット２３を介してスキャナ部２１から読取可能にしている。
【００３８】
また、原稿給送部２４は、その前面側が上方に移動可能となるように本体部２に対して回動自在に設けられている。原稿給送部２４の前面側を上方に移動させて原稿台２２の上面を開放することにより、原稿台２２の上面に読み取り原稿、例えば見開き状態にされた書籍等を操作者が載置できるようになっている。
【００３９】
図２は、複写機１の概略構成の一例を示すブロック構成図である。図２に示すように、複写機１は、ネットワークＩ／Ｆ（インターフェース）部３０、画像データ記憶部４０、操作パネル部５０、記録部６０、クリーニング部７０、濃度センサ１９及び制御部３３を備えている。
【００４０】
ネットワークＩ／Ｆ部３０は、ＬＡＮ等のネットワークを介して接続されたＰＣ等の情報処理装置（外部装置）との間における種々のデータの送受信を制御するものである。画像データ記憶部４０は、ネットワークＩ／Ｆ部３０を介してＰＣ等から送信されてきた画像データを一時的に記憶するものである。操作パネル部５０は、複写機１のフロント部に設けられ、ユーザによる各種指示入力が行われる入力キーとして機能したり、所定の情報を表示したりするものである。
【００４１】
記録部６０は、上記画像形成部２、転写部６１、定着部１６及び給紙部９を備え、画像データ記憶部４０に記憶されるなどした画像データに基づいて用紙に対する画像印刷を行うものである。転写部６１は、上述の中間ベルト１０、駆動ローラ１１〜１３及び２次転写ローラ１４等からなり、感光体ドラム３上のトナー像を中間ベルト１０を介して用紙に転写するものである。
【００４２】
クリーニング部７０は上記除電クリーニング１８からなるものである（感光体クリーニング部７も含む）。濃度センサ１９は、図１に示す濃度センサ１９である。
【００４３】
制御部３３は、各種制御プログラムを記憶するＲＯＭ（Read Only Memory）、データを一時的に保管する機能や作業領域としての機能を有するＲＡＭ（Random Access Memory）、及び上記制御プログラム等をＲＯＭから読み出して実行するマイクロコンピュータなどからなり、上記各機能部に対する各種制御信号の送受信を行い、複写機１全体の動作制御を司るものである。
【００４４】
また、制御部３３は、表示制御部３４と、黒生成部３５と、判断部３６と、変換部３７とを備える。
【００４５】
表示制御部３４は、操作パネル部５０に表示される図略の表示画面において所定の操作を行うことにより、２色コピー（本実施形態では、Ｒ（赤）、Ｇ（緑）、Ｂ（青）のいずれか一色と黒（Ｋ）色とによるコピー）を指示するための入力画面を操作パネル部５０に表示する。図３は、この入力画面の一例を示す図である。
【００４６】
図３に示すように、該入力画面Ｇ１には、２色コピーの実行を指示するための「ＹＥＳ」ボタン３８と、２色コピーの実行の撤回指示を行うための「ＮＯ」ボタン３９とが表示され、「ＹＥＳ」ボタン３８が操作されると、表示制御部３４は、図４に示す入力画面Ｇ２を操作パネル部５０に表示する。なお、「ＮＯ」ボタン３９が操作されると、表示制御部３４は、例えば図略の初期画面を表示する。
【００４７】
図４に示す入力画面Ｇ２は、２色コピーを実行する際に用いる色として、黒以外にどの色を用いるかを選択する画面であり、該画面Ｇ２には、Ｒ（赤）を選択するための「赤」ボタン４０と、Ｇ（緑）を選択するための「緑」ボタン４１と、Ｂ（青）を選択するための「青」ボタン４２とが表示される。この入力画面Ｇ２で指定された色を第１指定色という。
【００４８】
この入力画面Ｇ２においていずれかのボタンが操作されると、図５に示すような入力画面Ｇ３が表示される。ここで、本実施形態においては、入力画面Ｇ２で選択した前記第１指定色と黒色以外の色の画像を黒色で表現（画像形成）することができるようになっており、該入力画面Ｇ３は、黒色で表現する色を設定するための画面である。
【００４９】
すなわち、図５に示す入力画面Ｇ３は、前記入力画面Ｇ２において前記第１指定色として例えば「赤」ボタン４０により赤色が設定された場合に操作パネル部５０に表示される画面であり、該画面Ｇ３には、「緑」ボタン４３と、「青」ボタン４４と、「黒色で表現しない」ボタン４５とが表示される。この画面Ｇ３において、例えば「青」ボタン４４が操作された場合、画像形成装置１は、原稿における青色の画像を黒色で用紙に再現（画像形成）する。また、「黒色で表現しない」ボタン４５が操作された場合、画像形成装置１は、原稿における赤色、緑色及び青色の画像を全て赤色で用紙に再現する。この入力画面Ｇ３で指定された色（黒色で表現すべき色）を第２指定色という。
【００５０】
前記入力画面Ｇ３においていずれかのボタンが操作されると、例えば図６に示す確認画面Ｇ４が操作パネル部５０に表示される。この確認画面Ｇ４においては、前記各画面Ｇ１〜Ｇ３で選択された内容に基づいて行われた処理後の画像４６と、前記各画面Ｇ１〜Ｇ３で入力された内容の適否をユーザに確認させるためのメッセージ４７と、「ＯＫ」ボタン４８と、「ＮＯ」ボタン４９とが表示される。
【００５１】
この確認画面Ｇ４において、「ＯＫ」ボタン４８が操作されると、表示制御部３４は、その旨を示す情報を判断部３６及び変換部３７に出力する一方、「ＮＯ」ボタン４９が操作されると、入力画面Ｇ１〜Ｇ３のいずれかの入力画面を再び表示する。
【００５２】
黒生成部３５、判断部３６及び変換部３７は、原稿読取部２０から取得されたＲ（赤）、Ｇ（緑）、Ｂ（青）の各色の画像データを取得すると以下に説明する処理を実行する。なお、黒生成部３５、判断部３６及び変換部３７は、前記ＣＣＤセンサに備えられる画素のうち予め定められた大きさの領域に含まれるＲ（赤），Ｇ（緑）、Ｂ（青）の各画素からそれぞれ得られる画像データを１画素の画像データとして扱う。
【００５３】
黒生成部３５は、原稿読取部２０から取得されたＲ（赤）、Ｇ（緑）、Ｂ（青）の各色の画像データに基づきＫ（黒）の画像データを生成するものである。
【００５４】
判断部３６は、画素ごとに、前記入力画面Ｇ３において第２指定色（前述の例では青）が指定された場合、その第２指定色の画像データが他の色の画像データに比して当該画素の色に大きな影響を有しているか否かを判断するものである。すなわち、判断部３６は、前記第２指定色の画像データの画素値から他の色（黒色は含まない）の画像データの画素値を差し引いた値（以下、減算値という）をそれぞれ算出し、その減算値が所定の閾値より大きいか否かを判断する。例えば前記第２指定色がＢ（青）色である場合、判断部３６は、当該画素のＢ（青）色の画像データの画素値ＢからＲ（赤）色の画像データの画素値Ｒを差し引いたときの減算値（Ｂ−Ｒ）と、当該画素のＢ（青）色の画像データの画素値ＢからＧ（緑）色の画像データの画素値Ｒを差し引いたときの減算値（Ｂ−Ｇ）とをそれぞれ算出し、
Ｂ−Ｒ＞Ｗ１      ・・・（１）
Ｂ−Ｇ＞Ｗ２      ・・・（２）  （Ｗ１，Ｗ２は閾値）
前記式（１），（２）の両方を満たすか否かを画素ごとに判断する。
【００５５】
変換部３７は、前記判断部３６により前記式（１），（２）の両方を満たすと判断された場合、当該画素の画像データをＫ（黒）色の画像データに変換する一方、前記判断部３６により前記式（１），（２）の片方しか満たさない又は両方満たさないと判断された場合、当該画素の画像データを前記第１指定色（ここでは赤色）の画像データに変換する。
【００５６】
これにより、前記第２指定色（前述の例では青）の画像データが他の色の画像データに比して当該画素の色に大きな影響を有している場合、前記第２指定色で表現されている画像については前記第１指定色で表現されずに黒色で表現されることとなる。
【００５７】
なお、制御部３３は、原稿読取部２０から出力された各色の画像データ、黒生成部３５により生成されたＫ（黒）色の画像データ及び前記変換部３７による変換処理により生成されたＫ（黒）色及びＲ（赤）色の画像データに対し、ガンマ補正等の補正処理、画像データの圧縮又は伸長処理、拡大又は縮小処理などの画像加工処理を行う。また、前記第１の色成分は黒色成分、第２の色成分はＲ（赤）色成分、第３の色成分はＢ（青）色成分、第４の色成分はＧ（緑）成分に相当する。
【００５８】
図７は、２色コピー時における制御部３３による処理のフローチャートを示す図である。制御部３３は、画素ごとに図３に示す処理を実行する。また、ここでは、前記第１指定色としてＲ（赤）色が、前記第２指定色としてＢ（青）色がそれぞれ選択されているものとする。
【００５９】
図７に示すように、制御部３３は、当該画素の画像データがカラーの画像データであるか否かを判断し（ステップ♯１）、カラーの画像データである場合には（ステップ♯１でＹＥＳ）、当該画素のＢ（青）色の画像データの画素値ＢからＲ（赤）色の画像データの画素値Ｒを差し引いたときの減算値（Ｂ−Ｒ）と、当該画素のＢ（青）色の画像データの画素値ＢからＧ（緑）色の画像データの画素値Ｒを差し引いたときの減算値（Ｂ−Ｇ）とをそれぞれ算出し、それらの減算値（Ｂ−Ｒ）が前記閾値Ｗ１より大きく且つ減算値（Ｂ−Ｇ）が閾値Ｗ２より大きいか否かを判断する（ステップ♯２）。
【００６０】
変換部３７は、前記判断部３６により前記減算値（Ｂ−Ｒ）が前記閾値Ｗ１より大きく且つ減算値（Ｂ−Ｇ）が閾値Ｗ２より大きいと判断された場合には（ステップ♯２でＹＥＳ）、当該画素の画像データを黒色の画像データに変換する一方（ステップ♯３）、それ以外の場合、すなわち前記式（１），（２）のうち少なくとも一方を満たさない場合には（ステップ♯２でＮＯ）、当該画素の画像データをＲ（赤）色の画像データに変換する（ステップ♯４）。
【００６１】
なお、ステップ♯１において、カラーの画像データでない場合には（ステップ♯１でＮＯ）、ステップ♯２〜♯４の処理を実行しないで一連の処理を終了する。
【００６２】
以上のように、当該画素のＢ（青）色の画像データの画素値ＢからＲ（赤）色の画像データの画素値Ｒを差し引いたときの減算値（Ｂ−Ｒ）と、当該画素のＢ（青）色の画像データの画素値ＢからＧ（緑）色の画像データの画素値Ｒを差し引いたときの減算値（Ｂ−Ｇ）とをそれぞれ算出し、前記減算値（Ｂ−Ｒ）が前記閾値Ｗ１より大きく且つ減算値（Ｂ−Ｇ）が閾値Ｗ２より大きいと判断された場合には、当該画素の画像データを黒色の画像データに変換し、それ以外の場合には、当該画素の画像データをＲ（赤）色の画像データに変換する処理を画素ごとに行うようにしたので、前記第２指定色の画像データが他の色の画像データに比して当該画素の色に大きな影響を有している場合、すなわち原稿において前記第２指定色で表されている画像を黒色で表現することができる。これにより、２色コピーの場合に、原稿の色合いをより忠実に再現したりユーザの所望する画像を再現したりすることができる。
【００６３】
本件は、前記実施形態に代えて、或いは前記実施形態に加えて次のような変形形態も採用可能である。
【００６４】
［１］前記判断部３６による判断処理を行う前に、前記Ｒ（赤）、Ｇ（緑）、Ｂ（青）の各色の画像データを、Ｃ（シアン）、Ｍ（マゼンタ）、Ｙ（イエロー）の各補色の画像データに変換する補色変換部が備えられている場合には、このＣ（シアン）、Ｍ（マゼンタ）、Ｙ（イエロー）の画像データを、再度、前記Ｒ（赤）、Ｇ（緑）、Ｂ（青）の画像データに変換した上で、前記判断部３６による判断処理を行うようにしてもよいし、或いは、各補色の画像データについての前記式（１），（２）に相当する式を設定し、この式に基づいて、当該画素の画像データを例えば黒色の画像データに変換するか赤色の画像データに変換するかを判断するようにしてもよい。
【００６５】
［２］前記実施形態は、Ｒ（赤）、Ｇ（緑）、Ｂ（青）のいずれか一色と黒（Ｋ）色とによる２色コピーを想定したものであるが、本件は、Ｒ（赤）、Ｇ（緑）、Ｂ（青）のいずれか二色による２色コピーの場合にも同様に適用可能である。
【図面の簡単な説明】
【００６６】
【図１】本発明に係る画像形成装置の一実施形態の内部構成を概略的に示す側面図である。
【図２】画像形成装置の電気的な構成を示すブロック図である。
【図３】入力画面Ｇ１を示す図である。
【図４】入力画面Ｇ２を示す図である。
【図５】入力画面Ｇ３を示す図である。
【図６】入力画面Ｇ４を示す図である。
【図７】２色コピー時における制御部による処理のフローチャートを示す図である。
【符号の説明】
【００６７】
３３    制御部
３４    表示制御部
３５    黒生成部
３６    判断部
３７    変換部
【図１】
0005011070.tif 000002
【図２】
0005011070.tif 000003
【図３】
0005011070.tif 000004
【図４】
0005011070.tif 000005
【図５】
0005011070.tif 000006
【図６】
0005011070.tif 000007
【図７】
0005011070.tif 000008